(57)【特許請求の範囲】
【請求項１】
所定のバッファメモリを介して、データ圧縮した情報信号をディスク状記録媒体に記録再生するディスク装置において、
前記ディスク状記録媒体に対して前記情報信号を正しく記録再生することが困難な場合、所定の制限時間の範囲で、前記情報信号の記録再生をリトライし、
前記バッファメモリは、
前記制限時間に対応する前記情報信号を蓄積可能に、容量が設定され、
前記リトライを実行した後は、前記情報信号の入出力に係るデータ転送速度の差で前記バッファメモリの容量を割り算した時間の間、前記制限時間の可変により、前記情報信号の連続性を確保する
ことを特徴とするディスク装置。
【発明の詳細な説明】
【０００１】
【発明の属する技術分野】
本発明は、ディスク装置に関し、例えば映像信号を記録再生するハードディスク装置に適用することができる。本発明は、リトライの時間を制限すると共に、この制限した時間に対応するようにバッファメモリの容量を設定することにより、全体として簡易な構成で映像信号等の連続する情報信号を記録再生できるようにする。
【０００２】
【従来の技術】
従来、ビデオテープレコーダにおいては、映像信号でなる情報信号を記録する際に、インターリーブ等の処理を実行し、また誤り訂正符号を付加することにより、連続するデータが途絶えることのないように映像信号を記録再生するように、すなわちデータの連続性を優先して映像信号を記録再生するようになされている。
【０００３】
これに対してコンピュータの記憶装置に適用されるハードディスク装置においては、リードアフターライト、誤り検出等の処理により所望のデータを正しく記録再生することができたか否か判断する。さらにこの種のハードディスク装置は、データを正しく記録再生できない場合、リトライの処理を繰り返し、また必要に応じて誤り訂正の処理を実行する。これによりこの種のハードディスク装置においては、記録再生するデータの信頼性を最優先して、記録再生の処理を実行するようになされている。
【０００４】
【発明が解決しようとする課題】
ところで映像信号、音声信号等の記録再生にハードディスク装置を適用することができれば、頭出し等の処理を簡略化することができ、この種の情報信号の編集作業等を簡略化できると考えられる。またこの場合に、コンピュータ用のハードディスク装置により映像信号、音声信号を記録再生することができれば、その分汎用性の高い部品によりこの種の編集装置を構成して、この種の記録再生装置を簡易に構成することができる。
【０００５】
ところがコンピュータ用のハードディスク装置は、データの信頼性を最優先してリトライの処理を繰り返すことにより、映像信号、音声信号の記録再生に適用すると、このリトライの繰り返しにより、映像信号、音声信号が途切れる場合が考えられる。
【０００６】
この問題を解決する１つの方法として、殆どリトライする必要が無いように、ハードディスク装置に信頼性を向上する方法が考えられるが、この場合コンピュータ用のハードディスク装置のような汎用的な装置を使用することが困難になる欠点がある。またビデオデータを正しく再生できない場合でもリトライ処理しないように設定することも考えられるが、この場合、再生された映像信号に誤り訂正困難なビット誤りが頻発する場合も考えられ、結局、連続する映像信号の再生が困難になる欠点がある。
【０００７】
本発明は以上の点を考慮してなされたもので、全体として簡易な構成で映像信号等の連続する情報信号を記録再生することができるディスク装置を提案しようとするものである。
【０００８】
【課題を解決するための手段】
かかる課題を解決するため本発明においては、ディスク状記録媒体に対して情報信号を正しく記録再生することが困難な場合、所定の制限時間の範囲で、情報信号の記録再生をリトライするようにし、この制限時間に対応する情報信号を蓄積可能に、バッファメモリの容量を設定し、リトライを実行した後は、情報信号の入出力に係るデータ転送速度の差でバッファメモリの容量を割り算した時間の間、制限時間の可変により、情報信号の連続性を確保する。
【０００９】
所定の制限時間の範囲で、情報信号の記録再生をリトライすれば、この制限時間の設定により、誤り訂正困難なビット誤りの発生を実用上充分な範囲に低減することができる。この場合に、この制限時間に対応する情報信号を蓄積可能に、バッファメモリの容量を設定すれば、バッファメモリの容量を実用上充分に小さな容量に設定して、映像信号等の情報信号を途切れることなく記録再生することができる。このときリトライを実行した後は、情報信号の入出力に係るデータ転送速度の差でバッファメモリの容量を割り算した時間の間、制限時間の可変により、情報信号の連続性を確保することにより、確実に情報信号の連続性を確保することができる。
【００１０】
【発明の実施の形態】
以下、適宜図面を参照しながら本発明の実施の形態を詳述する。
【００１１】
図２は、本発明の実施の形態に係る編集装置の前提の構成を示すブロック図である。この編集装置１は、順次入力されるビデオ信号Ｖ１及びオーディオ信号Ａ１をハードディスクアレイ２により記録し、またこの記録したビデオ信号Ｖ１及びオーディオ信号Ａ１を編集して出力する。
【００１２】
すなわち編集装置１は、コンピュータ構成のコントローラ３を有し、このコントローラ３のモニタ装置３Ａに表示されたグラフィカルユーザインターフェース（ＧＵＩ：Graphical User Interface）に従ってマウス３Ｂ、キーボード３Ｃを操作することにより、またコントロールパネル３Ｄを操作することにより、このコントローラ３の制御により全体の動作を切り換え、順次入力されるビデオ信号Ｖ１及びオーディオ信号Ａ１を記録する。またこの記録したビデオ信号Ｖ２、Ｖ３等のモニタ画像をユーザーに提供すると共に、ユーザーの操作に従って編集リストを作成し、さらにこの作成した編集リストに従ってハードディスクアレイ２に記録したビデオ信号及びオーディオ信号を再生して出力する。
【００１３】
図１は、ハードディスクアレイ２のうちの、ビデオ信号の処理系を示すブロック図である。このハードディスクアレイ２において、ビデオデータ入出力部１０は、この編集装置１に入力されるビデオ信号Ｖ１を所定フォーマットのディジタルビデオ信号ＤＶ１に変換してビデオデータ処理部１１に出力する。またビデオデータ入出力部１０は、このビデオデータ処理部１１より出力されるディジタルビデオ信号ＤＶ２及びＤＶ３をアナログ信号でなるビデオ信号Ｖ２及びＶ３に変換し、このビデオ信号Ｖ２及びＶ３をコントローラ３及び外部機器に出力する。
【００１４】
ここでこの編集装置１は、コンポジットビデオ信号を入出力するように構成され、ビデオデータ入出力部１０において、デコーダ１０ａは、このコンポジットビデオ信号でなるビデオ信号Ｖ１をコンポーネントビデオ信号に変換して出力する。続くアナログディジタル変換回路（Ａ／Ｄ）１０ｂは、このコンポーネントビデオ信号をアナログディジタル変換処理し、輝度データ、色差データにより構成される所定フォーマットのディジタルビデオ信号ＤＶ１を出力する。
【００１５】
ディジタルアナログ変換回路（Ｄ／Ａ）１０ｃは、ビデオデータ処理部１１より出力されるディジタルビデオ信号ＤＶ２をディジタルアナログ変換処理し、輝度信号及び色差信号により構成されるコンポーネントビデオ信号を出力する。続くエンコーダ１０ｄは、このディジタルアナログ変換回路１０ｃより出力されるコンポーネントビデオ信号をコンポジットビデオ信号Ｖ２に変換して出力する。同様に、ディジタルアナログ変換回路（Ｄ／Ａ）１０ｅは、ビデオデータ処理部１１より出力されるディジタルビデオ信号ＤＶ３をディジタルアナログ変換処理してコンポーネントビデオ信号を出力し、続くエンコーダ１０ｆは、このディジタルアナログ変換回路１０ｃより出力されるコンポーネントビデオ信号をコンポジットビデオ信号Ｖ３に変換して出力する。
【００１６】
ビデオデータ処理部１１は、このようにしてビデオデータ入出力部１０より入力されるディジタルビデオ信号ＤＶ１をデータ圧縮してシステムコントローラ１２に出力する。またビデオデータ処理部１１は、システムコントローラ１２より入力されるビデオデータをデータ伸長してディジタルビデオ信号ＤＶ２及びＤＶ３を生成し、このディジタルビデオ信号ＤＶ２及びＤＶ３をビデオデータ入出力部１０に出力する。
【００１７】
すなわちビデオデータ処理部１１において、圧縮回路１１ａは、ＭＰＥＧ（Moving Picture Experts Group）の規格によりディジタルビデオ信号ＤＶ１をデータ圧縮し、その結果得られるビデオデータＤ１を所定のデータ転送速度Ｒｖ〔Ｍｂｙｔｅ／Ｓｅｃ〕によりバッファ１１ｂに出力する。またビデオデータ処理部１１において、伸長回路１１ｃは、バッファ１１ｂを介して所定のデータ転送速度ＲｖによりＭＰＥＧの規格によりデータ圧縮されたビデオデータＤ２を受け、このビデオデータＤ２をデータ伸長してディジタルビデオ信号ＤＶ２を出力する。
【００１８】
バッファ１１ｂは、ＦＩＦＯ（First In First Out）回路構成のメモリにより構成され、システムコントローラ１２の制御により動作を切り換える。すなわちバッファ１１ｂは、圧縮回路１１ａより入力されるビデオデータＤ１をシステムコントローラ１２に出力し、またこのシステムコントローラ１２より入力されるビデオデータＤＳを伸長回路１１ｃに出力し、さらにこのシステムコントローラ１２より入力されるビデオデータＤＳに代えて、圧縮回路１１ａより入力されるビデオデータＤ１を伸長回路１１ｃに出力する。これによりバッファ１１ｂは、システムコントローラ１２を介して、複数のハードディスク１３にビデオデータを記録すると共に、これら複数のハードディスク１３に記録されたビデオデータをモニタできるようになされ、また必要に応じて順次入力されるビデオ信号Ｖ１について、データ圧縮したビデオデータＤ１をモニタできるようになされている。
【００１９】
このようにしてビデオデータＤＳを入出力する際に、バッファ１１ｂは、圧縮回路１１ａ及び伸長回路１１ｃとの間では、これら圧縮回路１１ａ及び伸長回路１１ｃのデータ処理速度に対応するデータ転送速度Ｒｖ〔Ｍｂｙｔｅ／Ｓｅｃ〕によりビデオデータＤ１、Ｄ２を入出力するのに対し、システムコントローラ１２との間では、このデータ転送速度Ｒｖ〔Ｍｂｙｔｅ／Ｓｅｃ〕より高速度のデータ転送速度Ｒｈ〔Ｍｂｙｔｅ／Ｓｅｃ〕によりビデオデータＤＳを入出力する。これによりバッファ１１ｂは、圧縮回路１１ａ及び伸長回路１１ｃとの間では、ビデオデータＤ１及びＤ２をほぼ連続して入出力するのに対し、システムコントローラ１２との間では、ビデオデータＤＳを間欠的に入出力する。
【００２０】
この圧縮回路１１ａ及び伸長回路１１ｃとの間のデータ転送速度Ｒｖ〔Ｍｂｙｔｅ／Ｓｅｃ〕に対して、バッファ１１ｂは、容量Ｂ〔Ｍｂｙｔｅ〕が次式
【００２１】
【数１】
0003772932.tif 000002
【００２２】
の関係式を満足する範囲で、実用上、充分に小さな容量に設定されるようになされている。なおここでＴｒは、後述するハードディスク１３のリトライ制限時間である。これにより編集装置１では、このリトライ制限時間で圧縮回路１１ａより出力されるビデオデータＤ１を蓄積可能にバッファ１１ｂを構成し、必要最小限度の容量で、連続するビデオデータＤＳを途絶えることなく記録再生できるようになされている。
【００２３】
バッファ１１ｄは、バッファ１１ｂと同様に、ＦＩＦＯ回路構成のメモリにより構成され、システムコントローラ１２より入力されるビデオデータＤＳを保持すると共に、保持したビデオデータＤＳを伸長回路１１ｅのデータ処理速度に対応するデータ転送速度Ｒｖにより伸長回路１１ｅに出力する。ここでバッファ１１ｄは、バッファ１１ｂと同様に、システムコントローラ１２との間のデータ転送速度Ｒｈ〔Ｍｂｙｔｅ／Ｓｅｃ〕、伸長回路１１ｅとの間のデータ転送速度Ｒｖ〔Ｍｂｙｔｅ／Ｓｅｃ〕が設定され、さらにこれらのデータ転送速度Ｒｈ、Ｒｖ〔Ｍｂｙｔｅ／Ｓｅｃ〕に対して、（１）式の関係式を満足する範囲で、実用上、充分に小さな容量Ｂに設定されるようになされている。これにより編集装置１では、リトライ制限時間Ｔｒで伸長回路１１ｅに供給するビデオデータＤ３を蓄積可能にバッファ１１ｄを構成するようになされている。
【００２４】
伸長回路１１ｅは、このバッファ１１ｄより出力されるビデオデータＤＳをデータ伸長し、ディジタルビデオ信号ＤＶ３を出力する。
【００２５】
システムコントローラ１２は、ＲＳ−４２２の通信フォーマットによりコントローラ３との間で制御コマンド等を入出力し、この制御コマンドに従って中央処理ユニット（ＣＰＵ）１２ａにより一連の処理手順を実行する。これによりシステムコントローラ１２は、ハードディスクアレイ２の全体動作を制御する。
【００２６】
このシステムコントローラ１２において、ダイレクトメモリアクセスコントローラ（ＤＭＡ）１２ｂは、中央処理ユニット１２ａにより制御されて動作を切り換え、ビデオデータ処理部１１との間でビデオデータＤＳを入出力し、またこのビデオデータをＳＣＳＩ（Small computer System Interface ）コントローラ１２ｃとの間で入出力する。このときダイレクトメモリアクセスコントローラ１２ｂは、ビデオデータ処理部１１より入力するビデオデータＤＳのタイミングを制御してＳＣＳＩコントローラ１２ｃに出力し、またこれとは逆にＳＣＳＩコントローラ１２ｃより入力されるビデオデータＤＳのタイミングを制御してビデオデータ処理部１１に出力する。
【００２７】
ＳＣＳＩコントローラ１２ｃは、中央処理ユニット１２ａにより制御されて、ビデオ信号の記録に割り当てられた複数のハードディスク１３に制御コマンドを発行し、ダイレクトメモリアクセスコントローラ１２ｂより入力されるビデオデータＤＳをこれら複数のハードディスク１３に振り分けて記録し、またこれら複数のハードディスク１３よりビデオデータＤＳを再生してダイレクトメモリアクセスコントローラ１２ｂに出力する。
【００２８】
このときＳＣＳＩコントローラ１２ｃは、中央処理ユニット１２ａの制御により、記録時、所定データ量のビデオデータＤＳがバッファ１１ｂに蓄積されると、ダイレクトメモリアクセスコントローラ１２ｂを介して、バッファ１１ｂよりビデオデータＤＳを入力し、この入力したビデオデータＤＳをハードディスク１３に記録する。これによりＳＣＳＩコントローラ１２ｃは、バッファ１１ｂに所定の空き容量を確保できるように、間欠的にビデオデータＤＳを読み出してハードディスク１３に記録する。
【００２９】
また同様にしてＳＣＳＩコントローラ１２ｃは、再生時、バッファ１１ｂ、１１ｄの空き容量が所定値以下になるとハードディスク１３を間欠的に駆動してビデオデータＤＳを出力し、これによりハードディスク１３を間欠的に駆動して、伸長回路１１ｃ、１１ｅに出力されるビデオデータＤＳが途絶えることが無いようにする。
【００３０】
ハードディスク１３は、ＳＣＳＩコントローラ１２ｃの制御により、順次入力されるビデオデータＤＳを記録し、また記録したビデオデータＤＳを再生して出力する。このビデオデータの記録時、ハードディスク１３は、所定の誤り訂正符号を付加してビデオデータＤＳを記録し、リードアフターライトの処理を実行する。さらにこのリードアフターライトによりビデオデータＤＳを正しく記録することができなかったことが検出された場合、リトライの処理を繰り返す。このときハードディスク１３は、事前に設定された所定の制限回数の範囲でリトライの処理を繰り返す。
【００３１】
ここでこのリトライの回数は、正しくビデオデータＤＳを記録することが困難な場合でも、誤り訂正符号により誤り訂正処理して正しいビデオデータＤＳを再生することができる程度の回数に設定され、この前提の構成では、この制限回数によりリトライを繰り返して、リトライの制限時間Ｔｒの範囲でリトライの処理を完了できるように、上述の制限時間Ｔｒが設定されるようになされている。
【００３２】
これにより記録時、編集装置１では、バッファ１１ｂの容量を実用上充分に小さな容量Ｂに設定して、誤り訂正困難なビット誤りの発生を実用上充分な範囲に低減し、ビデオ信号Ｖ１を途切れることなく記録することができるようになされている。
【００３３】
同様にして再生時、ハードディスク１３は、誤り検出処理によりビデオデータＤＳを正しく再生することができなかったことが検出された場合、同様の制限回数の範囲でリトライの処理を繰り返す。ここでこの再生時におけるリトライの回数は、誤り訂正符号により誤り訂正処理して正しいビデオデータＤＳを再生することができる程度の回数に設定され、この前提の構成では、この制限回数の設定により制限時間Ｔｒの範囲でリトライの処理を繰り返すようになされている。
【００３４】
これにより再生時、編集装置１では、バッファ１１ｂ、１１ｃの容量を実用上充分に小さな容量Ｂに設定して、誤り訂正困難なビット誤りの発生を実用上充分な範囲に低減し、ビデオ信号Ｖ１を途切れることなく再生することができるようになされている。
【００３５】
図３は、ハードディスクアレイ２のオーディオ信号の処理系を示すブロック図である。このハードディスクアレイ２において、オーディオデータ入出力部１５は、この編集装置１に入力されるオーディオ信号Ａ１を所定フォーマットのディジタルオーディオ信号ＤＡ１に変換してオーディオデータ処理部１６に出力する。またオーディオデータ入出力部１５は、このオーディオデータ処理部１６より出力されるディジタルオーディオ信号ＤＡ２をアナログ信号でなるオーディオ信号Ａ２に変換し、このオーディオ信号Ａ２をコントローラ３及び外部機器に出力する。
【００３６】
すなわちオーディオデータ入出力部１５において、デコーダ１５ａは、アナログ信号でなるオーディオ信号Ａ１を、続くディジタル信号処理に適した信号フォーマットに変換して出力する。続くアナログディジタル変換回路（Ａ／Ｄ）１５ｂは、このオーディオ信号をアナログディジタル変換処理し、所定フォーマットのディジタルオーディオ信号ＤＡ１を出力する。
【００３７】
ディジタルアナログ変換回路（Ｄ／Ａ）１５ｃは、オーディオデータ処理部１６より出力されるディジタルオーディオ信号ＤＡ２をディジタルアナログ変換処理し、オーディオ信号を出力する。続くエンコーダ１５ｄは、このディジタルアナログ変換回路１５ｃより出力されるオーディオ信号を所定のフォーマットのオーディオ信号Ａ２に変換して出力する。
【００３８】
オーディオデータ処理部１６は、オーディオデータ入出力部１５より入力されるディジタルオーディオ信号ＤＡ１をデータ圧縮してシステムコントローラ１２に出力する。またオーディオデータ処理部１６は、システムコントローラ１２より入力されるオーディオデータをデータ伸長してディジタルオーディオ信号ＤＡ２を生成し、このディジタルオーディオ信号ＤＡ２をオーディオデータ入出力部１５に出力する。
【００３９】
すなわちオーディオデータ処理部１６において、圧縮回路１６ａは、ディジタルオーディオ信号ＤＡ１をデータ圧縮し、その結果得られるオーディオデータＡＤ１を所定のデータ転送速度Ｒｖａ〔Ｍｂｙｔｅ／Ｓｅｃ〕によりバッファ１６ｂに出力する。
【００４０】
バッファ１６ｂは、ＦＩＦＯ回路構成のメモリにより構成され、システムコントローラ１２の制御により動作を切り換える。すなわちバッファ１６ｂは、圧縮回路１６ａより入力されるオーディオデータＡＤ１をシステムコントローラ１２に出力し、またこのシステムコントローラ１２より入力されるオーディオデータＤＡＳを伸長回路１６ｄに出力する。これによりバッファ１６ｂは、システムコントローラ１２を介して、複数のハードディスク１７にオーディオデータを記録すると共に、これら複数のハードディスク１７に記録されたオーディオデータをモニタできるようになされている。
【００４１】
このようにしてオーディオデータＤＡＳを入出力する際に、バッファ１６ｂは、圧縮回路１６ａのデータ処理速度に対応するデータ転送速度Ｒｖａ〔Ｍｂｙｔｅ／Ｓｅｃ〕によりオーディオデータＡＤ１を入力するのに対し、システムコントローラ１２との間では、このデータ転送速度Ｒｖａ〔Ｍｂｙｔｅ／Ｓｅｃ〕より高速度のデータ転送速度Ｒｈａ〔Ｍｂｙｔｅ／Ｓｅｃ〕によりオーディオデータＤＡＳを入出力する。これによりバッファ１６ｂは、圧縮回路１６ａとの間では、オーディオデータＡＤ１をほぼ連続して入出力するのに対し、システムコントローラ１２との間では、オーディオデータＤＡＳを間欠的に入出力する。
【００４２】
この圧縮回路１６ａとの間のデータ転送速度Ｒｖａ〔Ｍｂｙｔｅ／Ｓｅｃ〕に対して、バッファ１６ｂは、容量Ｂａ〔Ｍｂｙｔｅ〕が次式
【００４３】
【数２】
0003772932.tif 000003
【００４４】
の関係式を満足する範囲で、実用上、充分に小さな容量に設定されるようになされている。なおここでＴｒａは、上述したハードディスク１３のリトライ制限時間と同一の制限時間である。これにより編集装置１では、必要最小限度の容量で、連続するオーディオデータＤＡＳを途絶えることなく記録できるようになされている。
【００４５】
バッファ１６ｃは、バッファ１６ｂと同様に、ＦＩＦＯ回路構成のメモリにより構成され、システムコントローラ１２より入力されるオーディオデータＤＡＳを保持すると共に、保持したオーディオデータＤＡＳを伸長回路１６ｄのデータ処理速度に対応するデータ転送速度Ｒｖａにより伸長回路１６ｄに出力する。ここでバッファ１６ｃは、バッファ１６ｂと同様に、システムコントローラ１２との間のデータ転送速度Ｒｈａ〔Ｍｂｙｔｅ／Ｓｅｃ〕、伸長回路１６ｄとの間のデータ転送速度Ｒｖａ〔Ｍｂｙｔｅ／Ｓｅｃ〕が設定され、さらにこれらのデータ転送速度Ｒｈａ、Ｒｖａ〔Ｍｂｙｔｅ／Ｓｅｃ〕に対して、（２）式の関係式を満足する範囲で、実用上、充分に小さな容量Ｂａに設定されるようになされている。
【００４６】
伸長回路１６ｄは、このバッファ１６ｃより出力されるオーディオデータＤＡＳをデータ伸長し、ディジタルオーディオ信号を出力する。
【００４７】
このオーディオ信号の処理系において、システムコントローラ１２は、中央処理ユニット１２ａの制御によりビデオ系に同期して全体動作を切り換え制御する。
【００４８】
すなわちこのシステムコントローラ１２において、ダイレクトメモリアクセスコントローラ（ＤＭＡ）１２ｄは、中央処理ユニット１２ａにより制御されて動作を切り換え、オーディオデータ処理部１６との間でオーディオデータＤＡＳを入出力し、またこのオーディオデータＤＡＳをＳＣＳＩコントローラ１２ｅとの間で入出力する。このときダイレクトメモリアクセスコントローラ１２ｄは、オーディオデータ処理部１６より入力するオーディオデータＤＡＳのタイミングを制御してＳＣＳＩコントローラ１２ｅに出力し、またこれとは逆にＳＣＳＩコントローラ１２ｅより入力されるオーディオデータＤＡＳのタイミングを制御してオーディオデータ処理部１６に出力する。
【００４９】
ＳＣＳＩコントローラ１２ｅは、中央処理ユニット１２ａにより制御されて、オーディオ信号の記録に割り当てられた複数のハードディスク１７に制御コマンドを発行し、ダイレクトメモリアクセスコントローラ１２ｄより入力されるオーディオデータＤＡＳをこれら複数のハードディスク１７に振り分けて記録し、またこれら複数のハードディスク１７よりオーディオデータＤＡＳを再生してダイレクトメモリアクセスコントローラ１２ｄに出力する。
【００５０】
このときＳＣＳＩコントローラ１２ｅは、中央処理ユニット１２ａの制御により、記録時、所定データ量のビデオデータＤＳがバッファ１１ｂに蓄積されると、ダイレクトメモリアクセスコントローラ１２ｄを介して、バッファ１６ｂよりオーディオデータＤＡＳを間欠的に入力し、この入力したオーディオデータＤＡＳをハードディスク１７に記録する。また同様にして、再生時、バッファ１６ｃより伸長回路１６ｄに出力されるオーディオデータＤＡＳが途絶えることが無いように、ハードディスク１７を間欠的に駆動してオーディオデータＤＡＳを再生する。
【００５１】
ハードディスク１７は、ＳＣＳＩコントローラ１２ｅの制御により、順次入力されるオーディオデータＤＡＳを記録し、また記録したオーディオデータＤＡＳを再生して出力する。このオーディオデータの記録時、ハードディスク１７は、所定の誤り訂正符号を付加してオーディオデータＤＡＳを記録し、リードアフターライトの処理を実行する。さらにこのリードアフターライトによりオーディオデータＤＡＳを正しく記録することができなかったことが検出された場合、リトライの処理を繰り返す。このときハードディスク１７は、事前に設定された所定の制限回数の範囲でリトライの処理を繰り返す。
【００５２】
ここでこのリトライの回数は、正しくオーディオデータＤＡＳを記録することが困難な場合でも、誤り訂正符号により誤り訂正処理して正しいオーディオデータＤＡＳを再生することができる程度の回数に設定され、この前提の構成では、オーディオ信号についても、この制限回数の設定により制限時間Ｔｒの範囲でリトライの処理を繰り返すようになされている。
【００５３】
これにより記録時、編集装置１では、バッファ１６ｂの容量を実用上充分に小さな容量Ｂａに設定して、誤り訂正困難なビット誤りの発生を実用上充分な範囲に低減し、オーディオ信号Ａ１を途切れることなく記録することができるようになされている。
【００５４】
同様にして再生時、ハードディスク１７は、誤り検出処理によりオーディオデータＤＡＳを正しく記録することができなかったことが検出された場合、同様の制限回数の範囲でリトライの処理を繰り返す。ここでこの再生時におけるリトライの回数は、誤り訂正符号により誤り訂正処理して正しいオーディオデータＤＡＳを再生することができる程度の回数に設定され、この前提の構成では、この制限回数によりリトライを繰り返して、制限時間Ｔｒ以内で再生の処理を完了するようになされている。
【００５５】
これにより再生時、編集装置１では、バッファ１６ｃの容量を実用上充分に小さな容量Ｂａに設定して、誤り訂正困難なビット誤りの発生を実用上充分な範囲に低減し、オーディオ信号Ａ２を途切れることなく再生することができるようになされている。
【００５６】
以上の構成において、編集装置１は（図２）、オペレータの操作により、順次入力されるビデオ信号Ｖ１及びオーディオ信号Ａ１がハードディスクアレイ２に記録され、またこのハードディスクアレイ２に記録されたビデオ信号Ｖ２、Ｖ３及びオーディオ信号Ａ２が再生されてモニタ３Ａに表示される。さらにこのモニタ３Ａの表示をモニタしてオペレータの設定した編集リストに従ってハードディスクアレイ２に記録されたビデオ信号Ｖ２、Ｖ３及びオーディオ信号Ａ２が再生され、外部機器に出力される。
【００５７】
このようにして記録再生されるビデオ信号及びオーディオ信号のうち、ビデオ信号Ｖ１〜Ｖ３は（図１）、順次入力されるビデオ信号Ｖ１がビデオデータ入出力部１０のデコーダ１０ａにおいて、コンポーネントビデオ信号に変換された後、続くアナログディジタル変換回路１０ｂによりディジタルビデオ信号ＤＶ１に変換される。このディジタルビデオ信号ＤＶ１は、続くビデオデータ処理部１１の圧縮回路１１ａにおいてデータ圧縮されてビデオデータＤ１が生成され、このビデオデータＤ１がデータ転送速度Ｒｖ〔Ｍｂｙｔｅ／Ｓｅｃ〕によりバッファ１１ｂに順次格納される。
【００５８】
さらにこのビデオデータＤ１は、このバッファ１１ｂよりシステムコントローラ１２に入力され、このシステムコントローラ１２により複数台のハードディスク１３に振り分けられて記録される。このときビデオデータＤ１は、バッファ１１ｂへの入力時に比して高速度のデータ転送速度Ｒｈ〔Ｍｂｙｔｅ／Ｓｅｃ〕により、バッファ１１ｂがオーバーフローしないように、またバッファ１１ｂに所定の空き容量を確保するように、バッファ１１ｂより間欠的に読み出されて複数台のハードディスク１３に記録される。
【００５９】
さらに各ハードディスク１３において、誤り訂正符号が付加され、リードアフターライト、誤り検出の処理により、正しく記録することができたか否か確認されて記録され、正しく記録できない場合は、所定の制限回数の範囲でリトライの処理が繰り返されて、制限時間Ｔｒ以内でハードディスク１３に記録される。このときビデオデータＤＳは、この制限回数が、誤り訂正符号により誤り訂正処理して正しいビデオデータＤＳを再生することができる程度の回数に設定されていることにより、再生時における誤り訂正困難なビット誤りの発生を実用上充分な範囲に低減して、各ハードディスク１３に記録される。
【００６０】
このリトライの処理により、編集装置１では、リトライの処理を実行しない場合における通常の空き容量を越えて、続くビデオデータＤ１がバッファ１１ｂに蓄積され、リトライの処理が完了すると、バッファ１１ｂの空き容量が所定値になるように、この続くビデオデータＤ１が順次ハードディスク１３に記録されることになる。このとき編集装置１は、リトライの制限回数による制限時間Ｔｒ、データ転送速度Ｒｈ、Ｒｖに対して、バッファ１１ｂの容量が（１）式の関係式を満足するように設定されていることにより、リトライの処理を繰り返しても、バッファ１１ｂのオーバーフローが有効に回避される。またこのとき実用上充分に小さな容量Ｂによりバッファ１１ｂを構成することができ、これによりその分簡易な構成で連続するビデオ信号を途絶えることなく記録することができる。
【００６１】
これに対して再生時、ビデオデータＤＳは、システムコントローラ１２の制御によりハードディスク１３より再生され、バッファ１１ｂ、１１ｄを介して伸長回路１１ｃ、１１ｅに入力される。ここでビデオデータＤ２、Ｄ３は、データ伸長されてディジタルビデオ信号ＤＶ２、ＤＶ３が生成され、このディジタルビデオ信号ＤＶ２、ＤＶ３がアナログ信号でなるコンポジットビデオ信号Ｖ２、Ｖ３に変換されて出力される。
【００６２】
このときビデオデータは、伸長回路１１ｃ、１１ｄの処理速度に対応するデータ転送速度Ｒｖによりバッファ１１ｂ、１１ｄから出力されるのに対し、このデータ転送速度Ｒｖより高速度のデータ転送速度Ｒｈ〔Ｍｂｙｔｅ／Ｓｅｃ〕によりバッファ１１ｂ、１１ｄに供給される。さらにこのときビデオデータは、バッファ１１ｂ、１１ｄがオーバーフローしないように、またバッファ１１ｂ、１１ｄに所定値以上のビデオデータＤ２、Ｄ３を保持するように、間欠的にハードディスク１３より再生されてバッファ１１ｂ、１１ｄに供給される。
【００６３】
また各ハードディスク１３における誤り検出の処理により、正しく再生することができたか否か確認されて、正しく再生できない場合は、所定の制限回数の範囲でリトライの処理が繰り返されて、制限時間Ｔｒ以内でハードディスク１３より再生される。このときビデオデータＤＳは、この制限回数が、誤り訂正符号により誤り訂正処理して正しいビデオデータＤＳを再生することができる程度の回数に設定されていることにより、誤り訂正困難なビット誤りの発生を実用上充分な範囲に低減して、各ハードディスク１３より再生される。
【００６４】
このリトライの処理により、編集装置１では、バッファ１１ｂ、１１ｄに蓄積されたビデオデータＤ３のデータ量が、リトライの処理を実行しない場合における通常のデータ量を越えて低減し、リトライの処理が完了すると、このデータ量が所定値になるように、この続くビデオデータＤ１が順次ハードディスク１３より再生されてバッファ１１ｂ、１１ｄに格納されることになる。
【００６５】
このとき編集装置１は、リトライの制限回数による制限時間Ｔｒ、データ転送速度Ｒｈ、Ｒｖに対して、バッファ１１ｂ、１１ｄの容量Ｂが（１）式の関係式を満足するように設定されていることにより、リトライの処理を繰り返しても、伸長回路１１ｃ、１１ｅに対してはビデオデータＤ２、Ｄ３を途絶えることなく供給することができ、これによりこの編集装置１よりビデオ信号を途切れることなく出力することができる。またこのとき実用上充分に小さな容量Ｂによりバッファ１１ｂ、１１ｄを構成することができ、これによりその分簡易な構成で連続するビデオ信号を途絶えることなく再生することができる。
【００６６】
これに対してオーディオ信号Ａ１は（図３）、オーディオデータ入出力部１５のアナログディジタル変換回路１５ｂによりディジタルオーディオ信号ＤＡ１に変換され、このディジタルオーディオ信号ＤＡ１が、続くオーディオデータ処理部１６の圧縮回路１６ａにおいてデータ圧縮されてオーディオデータＡＤ１が生成される。このオーディオデータＡＤ１は、データ転送速度Ｒｖａ〔Ｍｂｙｔｅ／Ｓｅｃ〕によりバッファ１６ｂに順次格納され、このオーディオデータＡＤ１がシステムコントローラ１２を介して、オーディオ信号に割り当てられたハードディスク１７に記録される。
【００６７】
またこれとは逆に、ハードディスク１７より再生されたオーディオデータＤＡＳは、システムコントローラ１２を介して、バッファ１６ｅに格納され、続く伸長回路１６ｄによりデータ伸長され、オーディオデータ入出力部１５よりアナログ信号に変換されて出力される。
【００６８】
このバッファ１６ｂ及び１６ｃの入出力において、編集装置１は、ビデオデータの場合と同様に、ハードディスク１７のリトライ時間がリトライの回数により制限され、この制限の範囲で（２）式の関係式を満足するのに充分な容量にバッファ１６ｂ及び１６ｃの容量が設定されていることにより、実用上充分に小さな容量Ｂによりバッファ１６ｃ、１６ｄを構成して、連続するオーディオ信号を途切れることなく記録再生することができる。
【００６９】
以上の構成によれば、ハードディスク１３、１７のリトライ時間をリトライの回数により制限し、この制限の時間に対応するビデオデータ、オーディオデータを蓄積可能にバッファ１１ｂ、１１ｄ、１６ｂ、１６ｃの容量を設定することにより、実用上充分に小さな容量Ｂによりバッファ１１ｂ、１１ｄ、１６ｂ、１６ｃを構成して、連続するビデオ信号、オーディオ信号を途切れることなく記録再生することができる。従ってその分、全体として簡易な構成で、ビデオ信号及びオーディオ信号を記録再生することができる。
【００７０】
なお上述の前提の構成においては、ハードディスク１３、１７のリトライ時間をリトライの制限回数により制限する場合について述べたが、本発明はこれに限らず、時間管理により直接リトライの時間を制限してもよい。
【００７１】
また上述の前提の構成においては、誤り訂正処理により正しいデータを再生できる程度にリトライの制限時間を設定する場合について述べたが、本発明はこれに限らず、必要に応じてこのリトライの制限時間を種々に設定する場合に広く適用することができる。すなわち誤り訂正困難なビット誤りについても、補間処理等により実用上充分な程度にデータ修復できる場合もあり、このような場合には、さらにリトライの制限時間を短縮することができる。
【００７２】
なお上述の前提の構成においては、事前に設定したリトライの回数によりリトライの制限時間を設定する場合について述べたが、本発明の実施の形態は、このリトライの制限時間を可変する。すなわち一旦リトライの処理を実行した後においては、バッファの内容がビデオデータ等により満たされるまでに、Ｔ＝Ｂ／（Ｒｈ−Ｒｖ）の時間Ｔを要することになる。従ってこの時間Ｔの間については、制限時間Ｔｒ及びＴｒａに代えて、この時間Ｔによりリトライの時間を制限して、この時間Ｔの間におけるビデオデータ等の連続性を確保することができる。
【００７３】
【数３】
0003772932.tif 000004
【００７４】
の時間Ｔを要することになる。従ってこの時間Ｔの間については、制限時間Ｔｒ及びＴｒａに代えて、この時間Ｔによりリトライの時間を制限して、この時間Ｔの間におけるビデオデータ等の連続性を確保することができる。
【００７５】
また上述の実施の形態においては、ビデオ信号及びオーディオ信号を処理する場合について述べたが、本発明はこれに限らず、ビデオ信号、オーディオ信号をそれぞれ個別に記録再生する種々のハードディスク装置に広く適用することができる。
【００７６】
さらに上述の実施の形態においては、ハードディスク装置によりビデオ信号及びオーディオ信号でなる情報信号を記録再生する場合について述べたが、本発明はこれに限らず、光ディスク等、種々のディスク状記録媒体にビデオ信号、オーディオ信号でなる情報信号を記録し、又は再生する場合に広く適用することができる。
【００７７】
【発明の効果】
上述のように本発明によれば、所定の制限時間の範囲で情報信号の記録再生をリトライすると共に、この制限時間に対応する情報信号を蓄積可能にバッファメモリの容量を設定することにより、実用上充分に小さな容量によりバッファメモリを構成して、連続する情報信号を途切れることなく記録再生することができ、その分全体として簡易な構成で、連続する情報信号を記録再生することができる。
【図面の簡単な説明】
【図１】  本発明の実施の形態の前提の構成に係る編集装置に適用されるハードディスクアレイのビデオ信号系を示すブロック図である。
【図２】  図１の編集装置の全体構成を示すブロック図である。
【図３】  図１のハードディスクアレイのオーディオ信号系を示すブロック図である。
【符号の説明】
１……編集装置、２……ハードディスクアレイ、３……コントローラ、１０……ビデオデータ入出力部、１１……ビデオデータ処理部、１２……システムコントローラ、１３、１７……ハードディスク装置、１５……オーディオデータ入出力部、１６……オーディオデータ処理部、１１ａ、１６ａ……圧縮回路、１１ｃ、１１ｅ、１６ｄ……伸長回路、１１ｂ、１１ｄ、１６ｂ、１６ｃ……バッファ
【図１】
0003772932.tif 000005
【図２】
0003772932.tif 000006
【図３】
0003772932.tif 000007